(57)【要約】      （修正有）【課題】電力供給の抑制のための制御対象を適切に選択することのできる管理装置および管理プログラムを提供する。【解決手段】電力管理装置は、複数の発電装置による電力供給を管理する管理装置であって、電力供給の抑制を行う抑制期間を示す電力管理情報を取得する電力管理情報取得部と、前記発電装置の過去の発電の実績量を示す実績量情報、前記発電装置の設けられた施設の過去の環境に関する過去環境情報および電力管理情報取得部により取得された電力管理情報の示す抑制期間における施設の環境に関する環境予報情報を取得する取得部と、取得部により取得された実績量情報、過去環境情報および環境予報情報に基づいて、前記発電装置ごとに、抑制期間において抑制可能な電力量である抑制可能量を予測する予測部と、を備える。【選択図】図２
2018055419.tif 000002
【特許請求の範囲】
【請求項１】
複数の発電装置による電力供給を管理する管理装置であって、
前記電力供給の抑制を行う抑制期間を示す電力管理情報を取得する電力管理情報取得部と、
前記発電装置の過去の発電の実績量を示す実績量情報、前記発電装置の設けられた施設の過去の環境に関する過去環境情報、および、前記電力管理情報取得部により取得された前記電力管理情報の示す前記抑制期間における前記施設の環境に関する環境予報情報を取得する取得部と、
前記取得部により取得された前記実績量情報、前記過去環境情報および前記環境予報情報に基づいて、前記発電装置ごとに、前記抑制期間において抑制可能な電力量である抑制可能量を予測する予測部と、
前記取得部により取得された前記実績量情報の示す前記実績量および前記予測部により予測された前記抑制可能量に基づく、前記発電装置ごとの、前記抑制可能量以下であった実績または前記予測可能量以上であった実績に基づいて、複数の前記発電装置の中から前記抑制のための制御対象を選択する選択部とを備える、管理装置。
【請求項２】
前記取得部は、さらに、前記施設における過去の電力消費量を示す消費量情報を取得し、
前記予測部は、前記発電装置ごとに、前記取得部により取得された前記実績量情報、前記過去環境情報および前記消費量情報に基づいて、前記抑制期間における発電量および前記抑制期間における電力消費量を予測し、前記発電量の予測値と前記電力消費量の予測値との差を、前記発電装置の前記抑制可能量として算出する、請求項１に記載の管理装置。
【請求項３】
前記取得部は、さらに、前記発電装置ごとに、前記抑制のための制御が行われた累積期間を示す累積期間情報を取得し、
前記選択部は、前記取得部により取得された前記累積期間情報の示す前記累積期間の短い前記発電装置を前記制御対象として優先的に選択する、請求項１または請求項２に記載の管理装置。
【請求項４】
前記電力管理情報には、前記抑制の目標量が含まれ、
前記選択部は、１または複数の前記制御対象の前記抑制可能量の合計と、前記電力管理情報の示す前記目標量との差が小さくなるような前記発電装置を前記制御対象として優先的に選択する、請求項１から請求項３のいずれか１項に記載の管理装置。
【請求項５】
前記選択部は、複数の前記発電装置を複数のグループに分け、前記グループごとに前記実績に基づく評価値を付与し、付与した前記評価値の高い前記グループを前記制御対象のグループとして選択する、請求項１から請求項４のいずれか１項に記載の管理装置。
【請求項６】
前記選択部は、複数の前記発電装置を複数のグループに分け、各前記グループから前記制御対象を選択する、請求項１から請求項５のいずれか１項に記載の管理装置。
【請求項７】
前記選択部は、前記抑制期間を複数の期間に分割し、分割した前記期間ごとに前記制御対象を選択する、請求項１から請求項６のいずれか１項に記載の管理装置。
【請求項８】
複数の発電装置による電力供給を管理する管理装置において用いられる管理プログラムであって、
コンピュータを、
前記電力供給の抑制を行う抑制期間を示す電力管理情報を取得する電力管理情報取得部と、
前記発電装置の過去の発電の実績量を示す実績量情報、前記発電装置の設けられた施設の過去の環境に関する過去環境情報、および、前記電力管理情報取得部により取得された前記電力管理情報の示す前記抑制期間における前記施設の環境に関する環境予報情報を取得する取得部と、
前記取得部により取得された前記実績量情報、前記過去環境情報および前記環境予報情報に基づいて、前記発電装置ごとに、前記抑制期間において抑制可能な電力量である抑制可能量を予測する予測部と、
前記取得部により取得された前記実績量情報の示す前記実績量および前記予測部により予測された前記抑制可能量に基づく、前記発電装置ごとの、前記抑制可能量以下であった実績または前記予測可能量以上であった実績に基づいて、複数の前記発電装置の中から前記抑制のための制御対象を選択する選択部、
として機能させるための、管理プログラム。
【発明の詳細な説明】
【技術分野】
【０００１】
本発明は、管理装置および管理プログラムに関する。
【背景技術】
【０００２】
たとえば、九州電力株式会社、”出力制御ルール、出力制御見通し算定の考え方について”、［ｏｎｌｉｎｅ］、平成２７年２月１７日、総合資源エネルギー調査会  省エネルギー・新エネルギー分科会  新エネルギー小委員会  系統ワーキンググループ（第４回）配布資料、ｐ．１５、［平成２８年６月２２日検索］、インターネット〈ＵＲＬ：ｈｔｔｐ：／／ｗｗｗ．ｍｅｔｉ．ｇｏ．ｊｐ／ｃｏｍｍｉｔｔｅｅ／ｓｏｕｇｏｕｅｎｅｒｇｙ／ｓｈｏｅｎｅ＿ｓｈｉｎｅｎｅ／ｓｈｉｎ＿ｅｎｅ／ｋｅｉｔｏｕ＿ｗｇ／ｐｄｆ／００４＿０３＿００．ｐｄｆ〉（非特許文献１）には、再生可能エネルギー発電事業者からの発電電力の出力制御方法が記載されている。
【０００３】
たとえば、一般電気事業者は、出力制御実施日の当日の日射量想定値に基づいて出力制御必要量を決定する。ここで、日射量想定値は、たとえば、出力制御実施日の前日の１０時に気象会社から発表される。一般電気事業者は、たとえば、決定した出力制御必要量に基づいて出力制御指示を作成し、出力制御実施日の前日の夕方に当該出力制御指示を対象となる再生可能エネルギー発電事業者に通知する。
【先行技術文献】
【非特許文献】
【０００４】
【非特許文献１】九州電力株式会社、”出力制御ルール、出力制御見通し算定の考え方について”、［ｏｎｌｉｎｅ］、平成２７年２月１７日、総合資源エネルギー調査会  省エネルギー・新エネルギー分科会  新エネルギー小委員会  系統ワーキンググループ（第４回）配布資料、ｐ．１５、［平成２８年６月２２日検索］、インターネット〈ＵＲＬ：ｈｔｔｐ：／／ｗｗｗ．ｍｅｔｉ．ｇｏ．ｊｐ／ｃｏｍｍｉｔｔｅｅ／ｓｏｕｇｏｕｅｎｅｒｇｙ／ｓｈｏｅｎｅ＿ｓｈｉｎｅｎｅ／ｓｈｉｎ＿ｅｎｅ／ｋｅｉｔｏｕ＿ｗｇ／ｐｄｆ／００４＿０３＿００．ｐｄｆ〉
【発明の概要】
【発明が解決しようとする課題】
【０００５】
ところで、同一の発電事業者に対して電力供給の抑制指令を行うことのできる回数または期間には上限が設けられていることが多く、たとえば、年間３０日以内または３６０時間以内と定められている。このため、効果的な結果が得られる抑制指令を行い、限られた抑制指令の機会を有効活用することが望ましい。しかしながら、実際の出力量は天候などにより変動するため、効果的な結果を得ることのできる指令先を選択することは容易ではない。
【０００６】
この発明は、上述の課題を解決するためになされたもので、その目的は、電力供給の抑制のための制御対象を適切に選択することのできる管理装置および管理プログラムを提供することである。
【課題を解決するための手段】
【０００７】
（１）上記課題を解決するために、この発明のある局面に係わる管理装置は、複数の発電装置による電力供給を管理する管理装置であって、前記電力供給の抑制を行う抑制期間を示す電力管理情報を取得する電力管理情報取得部と、前記発電装置の過去の発電の実績量を示す実績量情報、前記発電装置の設けられた施設の過去の環境に関する過去環境情報、および、前記電力管理情報取得部により取得された前記電力管理情報の示す前記抑制期間における前記施設の環境に関する環境予報情報を取得する取得部と、前記取得部により取得された前記実績量情報、前記過去環境情報および前記環境予報情報に基づいて、前記発電装置ごとに、前記抑制期間において抑制可能な電力量である抑制可能量を予測する予測部と、前記取得部により取得された前記実績量情報の示す前記実績量および前記予測部により予測された前記抑制可能量に基づく、前記発電装置ごとの、前記抑制可能量以下であった実績または前記予測可能量以上であった実績に基づいて、複数の前記発電装置の中から前記抑制のための制御対象を選択する選択部とを備える。
【０００８】
（８）上記課題を解決するために、この発明のある局面に係わる管理プログラムは、複数の発電装置による電力供給を管理する管理装置において用いられる管理プログラムであって、コンピュータを、前記電力供給の抑制を行う抑制期間を示す電力管理情報を取得する電力管理情報取得部と、前記発電装置の過去の発電の実績量を示す実績量情報、前記発電装置の設けられた施設の過去の環境に関する過去環境情報、および、前記電力管理情報取得部により取得された前記電力管理情報の示す前記抑制期間における前記施設の環境に関する環境予報情報を取得する取得部と、前記取得部により取得された前記実績量情報、前記過去環境情報および前記環境予報情報に基づいて、前記発電装置ごとに、前記抑制期間において抑制可能な電力量である抑制可能量を予測する予測部と、前記取得部により取得された前記実績量情報の示す前記実績量および前記予測部により予測された前記抑制可能量に基づく、前記発電装置ごとの、前記抑制可能量以下であった実績または前記予測可能量以上であった実績に基づいて、複数の前記発電装置の中から前記抑制のための制御対象を選択する選択部、として機能させるためのプログラムである。
【０００９】
本発明は、このような特徴的な処理部を備える管理装置として実現することができるだけでなく、かかる特徴的な処理をステップとする管理方法として実現することができる。また、本発明は、管理装置の一部または全部を実現する半導体集積回路として実現したり、管理装置を含む管理システムとして実現したりすることができる。
【発明の効果】
【００１０】
本発明によれば、電力供給の抑制のための制御対象を適切に選択することができる。
【図面の簡単な説明】
【００１１】
【図１】図１は、本発明の実施の形態に係る電力管理システムの構成を示す図である。
【図２】図２は、本発明の実施の形態に係る電力管理装置の構成を示す図である。
【図３】図３は、本発明の実施の形態に係る電力管理装置の情報処理部により作成される累積度数分布の例（その１）を示す図である。
【図４】図４は、本発明の実施の形態に係る電力管理装置の情報処理部により作成される累積度数分布の例（その２）を示す図である。
【図５】図５は、本発明の実施の形態に係る電力管理装置の情報処理部により作成される累積度数分布の例（その３）を示す図である。
【図６】図６は、本発明の実施の形態に係る電力管理装置による動作手順を定めたフローチャートである。
【発明を実施するための形態】
【００１２】
最初に、本発明の実施形態の内容を列記して説明する。
【００１３】
（１）本発明の実施の形態に係る管理装置は、複数の発電装置による電力供給を管理する管理装置であって、前記電力供給の抑制を行う抑制期間を示す電力管理情報を取得する電力管理情報取得部と、前記発電装置の過去の発電の実績量を示す実績量情報、前記発電装置の設けられた施設の過去の環境に関する過去環境情報、および、前記電力管理情報取得部により取得された前記電力管理情報の示す前記抑制期間における前記施設の環境に関する環境予報情報を取得する取得部と、前記取得部により取得された前記実績量情報、前記過去環境情報および前記環境予報情報に基づいて、前記発電装置ごとに、前記抑制期間において抑制可能な電力量である抑制可能量を予測する予測部と、前記取得部により取得された前記実績量情報の示す前記実績量および前記予測部により予測された前記抑制可能量に基づく、前記発電装置ごとの、前記抑制可能量以下であった実績または前記予測可能量以上であった実績に基づいて、複数の前記発電装置の中から前記抑制のための制御対象を選択する選択部とを備える。
【００１４】
このような構成により、今回の抑制期間において抑制を行う方が、今後の抑制期間において抑制を行うよりも効果的な結果が得られる可能性の高い発電装置を制御対象として選択することができる。このため、電力供給の抑制のための制御対象を適切に選択することができる。
【００１５】
（２）好ましくは、前記取得部は、さらに、前記施設における過去の電力消費量を示す消費量情報を取得し、前記予測部は、前記発電装置ごとに、前記取得部により取得された前記実績量情報、前記過去環境情報および前記消費量情報に基づいて、前記抑制期間における発電量および前記抑制期間における電力消費量を予測し、前記発電量の予測値と前記電力消費量の予測値との差を、前記発電装置の前記抑制可能量として算出する。
【００１６】
このような構成により、たとえば、施設において消費した電力の残りを売電する余剰売電の方式を採用している施設がある場合でも、当該施設に設けられた発電装置の抑制可能量を正確に予測することができる。
【００１７】
（３）好ましくは、前記取得部は、さらに、前記発電装置ごとに、前記抑制のための制御が行われた累積期間を示す累積期間情報を取得し、前記選択部は、前記取得部により取得された前記累積期間情報の示す前記累積期間の短い前記発電装置を前記制御対象として優先的に選択する。
【００１８】
このような構成により、同一の施設に電力供給の抑制の指令が集中してしまうことを防ぐことができる。
【００１９】
（４）好ましくは、前記電力管理情報には、前記抑制の目標量が含まれ、前記選択部は、１または複数の前記制御対象の前記抑制可能量の合計と、前記電力管理情報の示す前記目標量との差が小さくなるような前記発電装置を前記制御対象として優先的に選択する。
【００２０】
このような構成により、目標量に対する抑制可能量の過不足の小さい発電装置を制御対象として選択することができるため、効率的な抑制を行うことができる。
【００２１】
（５）好ましくは、前記選択部は、複数の前記発電装置を複数のグループに分け、前記グループごとに前記実績に基づく評価値を付与し、付与した前記評価値の高い前記グループを前記制御対象のグループとして選択する。
【００２２】
このような構成により、施設の存在するエリアなどの共通点を有する複数の発電装置を制御対象として選択することができる。
【００２３】
（６）好ましくは、前記選択部は、複数の前記発電装置を複数のグループに分け、各前記グループから前記制御対象を選択する。
【００２４】
このような構成により、たとえば、施設において発電された全電力を売電する全量売電を採用しているグループ、および余剰売電を採用しているグループの各々から制御対象を選択して、異なる売電方式を採用している施設に指令を分散させることができる。
【００２５】
（７）好ましくは、前記選択部は、前記抑制期間を複数の期間に分割し、分割した前記期間ごとに前記制御対象を選択する。
【００２６】
ここで、抑制期間が長期間である場合、当該抑制期間において施設の環境が大きく変化することがあるが、上記のような構成により、分割された期間ごとに適切な制御対象を選択することができる。
【００２７】
（８）本発明の実施の形態に係る管理プログラムは、複数の発電装置による電力供給を管理する管理装置において用いられる管理プログラムであって、コンピュータを、前記電力供給の抑制を行う抑制期間を示す電力管理情報を取得する電力管理情報取得部と、前記発電装置の過去の発電の実績量を示す実績量情報、前記発電装置の設けられた施設の過去の環境に関する過去環境情報、および、前記電力管理情報取得部により取得された前記電力管理情報の示す前記抑制期間における前記施設の環境に関する環境予報情報を取得する取得部と、前記取得部により取得された前記実績量情報、前記過去環境情報および前記環境予報情報に基づいて、前記発電装置ごとに、前記抑制期間において抑制可能な電力量である抑制可能量を予測する予測部と、前記取得部により取得された前記実績量情報の示す前記実績量および前記予測部により予測された前記抑制可能量に基づく、前記発電装置ごとの、前記抑制可能量以下であった実績または前記予測可能量以上であった実績に基づいて、複数の前記発電装置の中から前記抑制のための制御対象を選択する選択部、として機能させるためのプログラムである。
【００２８】
このような構成により、今回の抑制期間において抑制を行う方が、今後の抑制期間において抑制を行うよりも効果的な結果が得られる可能性の高い発電装置を制御対象として選択することができる。このため、電力供給の抑制のための制御対象を適切に選択することができる。
【００２９】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００３０】
＜構成および基本動作＞
［電力管理システム］
図１は、本発明の実施の形態に係る電力管理システムの構成を示す図である。
【００３１】
図１を参照して、電力管理システム３０１は、電力管理装置１０１と、記憶装置１６１と、系統側管理装置１５１と、発電制御装置２０２Ａ，２０２Ｂ，２０２Ｃと、発電装置２０３Ａ，２０３Ｂ，２０３Ｃとを備える。
【００３２】
以下、発電制御装置２０２Ａ，２０２Ｂ，２０２Ｃの各々を、発電制御装置２０２とも称する。また、発電装置２０３Ａ，２０３Ｂ，２０３Ｃの各々を、発電装置２０３とも称する。
【００３３】
図１では、３つの発電制御装置２０２を代表的に示しているが、さらに多数または少数の発電制御装置２０２が設けられてもよい。また、発電制御装置２０２に対応して１つの発電装置２０３が設けられているが、複数の発電装置２０３が１つの発電制御装置２０２に対応して設けられてもよい。
【００３４】
電力管理システム３０１では、たとえば、電力供給が電力需要を上回る場合、または電力供給量が電力需要を上回るおそれがある場合において、電力供給を抑制する。
【００３５】
より詳細には、電力管理システム３０１における発電制御装置２０２および発電装置２０３は、たとえば、太陽光発電所および風力発電所等の発電施設に設けられ、発電事業者により運用される。なお、発電施設には、ビル、工場または一般家庭も含まれる。
【００３６】
発電装置２０３は、たとえば太陽光発電装置または風力発電装置であり、再生可能エネルギーから電気を生成する。
【００３７】
発電制御装置２０２は、発電施設ごとに１つ設けられてもよいし、発電施設ごとに複数設けられてもよい。発電制御装置２０２は、たとえば、ＰＣＳ（Ｐｏｗｅｒ  Ｃｏｎｄｉｔｉｏｎｉｎｇ  Ｓｙｓｔｅｍ）である。発電制御装置２０２は、発電施設において発電装置２０３を制御することにより、発電装置２０３の電力の出力量を抑制する。
【００３８】
系統側管理装置１５１は、電力系統側である電力会社または系統運用会社等の一般電気事業者によって運用され、電力供給の抑制内容に関する電力管理情報を電力管理装置１０１へ送信する。
【００３９】
ここで、電力管理情報には、たとえば、電力供給の抑制を行う期間（以下、抑制期間と称する。）の開始タイミングおよび抑制期間の長さ、ならびに電力供給の抑制の目標量および電力供給の抑制を行う対象エリア等が含まれる。
【００４０】
なお、電力管理情報には、抑制期間の長さの代わりに抑制期間の終了タイミングが含まれていてもよい。また、対象エリアは、たとえば、都道府県または市町村等の行政区画で定められるエリアであってもよいし、系統の送電網に基づくエリアであってもよい。
【００４１】
電力管理装置１０１は、たとえばアグリゲータ等の配信事業者によって運用され、１または複数の発電制御装置２０２と通信を行なうことにより、発電装置２０３からの電力供給を管理する。
【００４２】
具体的には、電力管理装置１０１は、たとえば、系統側管理装置１５１から電力管理情報を受信し、受信した電力管理情報に基づいて、抑制期間および当該抑制期間における発電装置２０３の制御内容を示す制御情報を作成する。そして、電力管理装置１０１は、作成した制御情報を発電制御装置２０２へ送信する。
【００４３】
発電制御装置２０２は、電力管理装置１０１から制御情報を受信すると、受信した制御情報の示す内容に従って発電装置２０３を制御する。
【００４４】
また、発電制御装置２０２は、発電装置２０３により発電された電力量を、たとえば１分ごとに計測する。また、発電制御装置２０２は、発電装置２０３の設けられた施設の温度、湿度、日射量および天候のうちの少なくとも１つを、たとえば１分ごとに計測する。なお、温度、湿度、日射量および天候の各々を「環境」とも称する。
【００４５】
発電制御装置２０２は、たとえば、同一のタイミングで計測した電力量の計測結果と環境の計測結果とを対応づけて、電力管理装置１０１へ送信する。
【００４６】
［課題の説明］
ところで、同一の発電事業者に対して電力供給の抑制の指令を行うことのできる回数または期間には上限が設けられていることが多く、たとえば、年間３０日以内または３６０時間以内と定められている。このため、たとえば、上限の設けられている全ての発電事業者への指令回数が上限に達した場合、その後の指令は、上限の設けられていない発電事業者に集中してしまう。
【００４７】
そこで、効果的な結果が得られる抑制指令を行い、限られた抑制指令の機会を有効活用できるように、たとえば、抑制期間において抑制可能な電力量（以下、「抑制可能量」と称する。）を発電装置ごとに予測し、予測した抑制可能量の多い発電装置を有する発電事業者を優先的に指令先として選択することが考えられる。しかしながら、このような方法では、大規模な発電装置を有する発電事業者に指令が集中してしまう可能性がある。
【００４８】
また、たとえば、発電装置の定格の出力量（以下、「定格量」と称する。）に対する抑制可能量の比率を求め、当該比率の高い発電装置を有する発電事業者を優先的に指令先として選択することが考えられる。このような方法により、抑制可能量の多い発電装置を有する発電事業者を指令先として選択する場合と比較して、指令先を分散させることができる。
【００４９】
しかしながら、発電装置による実際の出力量は天候などにより変動するため、日常的に定格量が出力されているとは限らない。このため、たとえば、発電装置Ａの比率が発電装置Ｂの比率より高い場合であっても、発電装置Ａの普段の出力量によっては、今回の抑制期間に電力供給を抑制するよりも、今後の抑制期間に電力供給を抑制する方が効果的な結果が得られることがある。
【００５０】
具体的には、発電装置Ａは、晴れの多いエリアに設けられ、普段の出力量が定格量の９０％程度であるとする。そして、予測された抑制可能量が定格量の７０％である場合、今回の抑制期間において電力供給を抑制するよりも、今後の抑制期間において電力供給を抑制する方が効果的な結果が得られる可能性が高い。
【００５１】
また、たとえば、発電装置Ｂは、雨の多いエリアに設けられ、普段の出力量が定格量の３０％程度であるとする。そして、予測された抑制可能量が定格量の４０％である場合、今回の抑制期間において電力供給を抑制する方が、今後の抑制期間において電力供給を抑制するよりも効果的な結果が得られる可能性が高い。
【００５２】
このように、定格量に対する抑制可能量の比率が高い発電装置を有する発電事業者を指令先として選択する方法であっても、選択された指令先が適切ではないことがある。
【００５３】
そこで、本発明の実施の形態に係る管理システム３０１は、以下のような構成により、電力供給の抑制のための制御対象を適切に選択する。
【００５４】
［電力管理装置］
図２は、本発明の実施の形態に係る電力管理装置の構成を示す図である。
【００５５】
電力管理装置１０１は、受信部（電力管理情報取得部）１１と、予測部１２と、情報取得部１３と、評価値付与部１４と、選択部１５と、送信部１６と、情報処理部（取得部）１７とを含む。
【００５６】
情報処理部１７は、たとえば、発電制御装置２０２から定期的に送信される、発電装置２０３による発電の電力量の計測結果および発電装置２０３の設けられた施設の環境の計測結果を受信し、受信したこれらの計測結果を記憶装置１６１に保存する。
【００５７】
これにより、記憶装置１６１には、過去の発電の電力量を示す計測結果および対応の過去の環境を示す計測結果が保存される。なお、記憶装置１６１に保存される過去の発電の電力量を「実績量」とも称し、実績量を示す情報を「実績量情報」とも称する。また、記憶装置１６１に保存されている過去の環境を示す情報を「過去環境情報」とも称する。
【００５８】
また、情報処理部１７は、たとえば、発電装置２０３の定格量を示す定格量情報を、対応の発電制御装置２０２から受信し、受信した定格量情報を記憶装置１６１に保存する。
【００５９】
そして、情報処理部１７は、たとえば、記憶装置１６１に保存されている実績量情報および定格量情報に基づいて、定格量に対する過去の実績量の比率に関する累積度数分布を、たとえば定期的に作成して更新する。
【００６０】
図３は、本発明の実施の形態に係る電力管理装置の情報処理部により作成される累積度数分布の例（その１）を示す図である。
【００６１】
図３を参照して、具体的には、情報処理部１７は、発電装置２０３Ａによる過去の発電の８０％が定格量の６０％以下の出力であったこと、および、発電装置２０３Ａによる過去の発電の５０％が定格量の５０％以下の出力であったことを示す、累積度数分布Ｄａを作成する。
【００６２】
再び図２を参照して、情報処理部１７は、発電装置２０３ごとの累積度数分布を作成し、作成した累積度数分布を記憶装置１６１に保存する。
【００６３】
受信部１１は、たとえば、系統側管理装置１５１から電力管理情報を受信し、受信した電力管理情報を予測部１２および選択部１５へ出力する。
【００６４】
予測部１２は、受信部１１から電力管理情報を受けると、当該電力管理情報の示す抑制期間を確認する。そして、予測部１２は、たとえば、発電装置２０３の設けられた各施設の当該抑制期間における環境を示す環境予報情報の取得を、情報取得部１３に指示する。
【００６５】
情報取得部１３は、予測部１２からの指示に従い、たとえば、インターネット上のウェブサイトから、施設ごとの環境予報情報を取得する。そして、情報取得部１３は、取得した環境予報情報を、予測部１２へ出力する。
【００６６】
予測部１２は、情報取得部１３から施設ごとの環境予報情報を取得すると、たとえば施設ごとに、当該環境予報情報の示す環境、および、記憶装置１６１に保存されている過去環境情報の示す環境を確認し、当該抑制期間における環境と一致または類似する過去の環境を検出する。
【００６７】
そして、予測部１２は、たとえば、検出した過去の環境と対応づけられた実績量を、当該抑制期間における発電装置２０３の発電量の予測値として取得する。予測部１２は、このような方法により、発電装置２０３ごとに、抑制期間における発電量の予測値を取得する。
【００６８】
そして、予測部１２は、各発電装置２０３の発電量の予測値を、抑制期間における抑制可能量として評価値付与部１４へ通知する。
【００６９】
評価値付与部１４は、予測部１２から各発電装置２０３の抑制可能量の通知を受けると、発電装置２０３ごとに、記憶装置１６１に保存されている累積度数分布および当該抑制可能量に基づいて、当該抑制可能量以下であった実績または当該予測可能量以上であった実績に関する評価値を付与する。
【００７０】
たとえば、評価値付与部１４は、過去の発電が抑制可能量以下の出力であった度数に関する評価値を各発電装置２０３に付与する。評価値付与部１４による評価値の付与の詳細については、後述する。
【００７１】
そして、評価値付与部１４は、各発電装置２０３に付与した評価値を選択部１５に通知する。
【００７２】
選択部１５は、受信部１１から受けた電力管理情報、および評価値付与部１４から受けた各発電装置２０３の評価値に基づいて、複数の発電装置２０３の中から電力供給の抑制のための制御対象を選択する。このとき、選択部１５は、選択した発電装置２０３の抑制可能量の合計が電力管理情報の示す目標量を満たすように、制御対象を選択する。
【００７３】
具体的には、電力管理情報の示す目標量が７００ｋＷであり、発電装置２０３Ｃ、発電装置２０３Ａ、発電装置２０３Ｂの順で評価値が高いとする。また、発電装置２０３Ｃの抑制可能量が３００ｋＷであり、発電装置２０３Ａの抑制可能量が５００ｋＷであり、発電装置２０３Ｂの抑制可能量が４００ｋＷであるとする。
【００７４】
この場合、評価値が最も高い発電装置２０３Ｃの抑制可能量と、評価値が２番目に高い抑制可能量との合計が８００ｋＷであり、電力管理情報の示す目標量７００ｋＷを満たすため、選択部１５は、発電装置２０３Ｃおよび発電装置２０３Ａを制御対象として選択する。
【００７５】
そして、選択部１５は、選択結果および電力管理情報を送信部１６へ出力する。
【００７６】
送信部１６は、選択部１５から選択結果および電力管理情報を受けると、当該選択結果の示す制御対象ごとに、抑制期間における制御内容を示す制御情報を作成する。そして、送信部１６は、作成した制御対象ごとの制御情報を対応の発電制御装置２０２へ送信する。なお、送信部１６は、制御対象ごとの制御情報を発電制御装置２０２へ送信するとともに、当該制御情報を記憶装置１６１に保存してもよい。
【００７７】
［評価値の付与および制御対象の選択］
（ａ）例１
再び図３を参照して、たとえば、発電装置２０３Ａの定格量が１０００ｋＷであり、ある抑制期間における発電装置２０３Ａの抑制可能量が５００ｋＷであるとする。すなわち、当該抑制期間における発電装置２０３Ａの抑制可能量は、定格量の５０％であるとする。
【００７８】
この場合、評価値付与部１４は、記憶装置１６１に保存されている発電装置２０３Ａの累積度数分布Ｄａを参照して、過去の発電の５０％が定格量の５０％以下の出力であったことを確認する。そして、評価値付与部１４は、たとえば、発電装置２０３Ａに評価値「５０」を付与する。
【００７９】
なお、評価値付与部１４は、過去の発電が抑制可能量以下の出力であった度数の割合を評価値としているが、抑制可能量以下であった実績に関する評価値であればよく、度数の割合の代わりに、たとえば、度数そのものを評価値としてもよい。また、評価値付与部１４は、抑制可能量以下であった実績に関する評価値の代わりに、抑制可能量以上であった実績に関する評価値を付与してもよい。
【００８０】
図４は、本発明の実施の形態に係る電力管理装置の情報処理部により作成される累積度数分布の例（その２）を示す図である。
【００８１】
図４を参照して、発電装置２０３Ｂの定格量が１０００ｋＷであり、当該抑制期間における発電装置２０３Ｂの抑制可能量が４００ｋＷであるとする。すなわち、当該抑制期間における発電装置２０３Ｂの抑制可能量は、定格量の４０％であるとする。
【００８２】
この場合、評価値付与部１４は、記憶装置１６１に保存されている発電装置２０３Ｂの累積度数分布Ｄｂを参照して、過去の発電の４０％が定格量の４０％以下の出力であったことを確認する。そして、評価値付与部１４は、たとえば、発電装置２０３Ｂに評価値「４０」を付与する。
【００８３】
図５は、本発明の実施の形態に係る電力管理装置の情報処理部により作成される累積度数分布の例（その３）を示す図である。
【００８４】
図５を参照して、発電装置２０３Ｃの定格量が１０００ｋＷであり、当該抑制期間における発電装置２０３Ｃの抑制可能量が３００ｋＷであるとする。すなわち、当該抑制期間における発電装置２０３Ｃの抑制可能量は、定格量の３０％であるとする。
【００８５】
この場合、評価値付与部１４は、記憶装置１６１に保存されている発電装置２０３Ｃの累積度数分布Ｄｃを参照して、過去の発電の６０％が定格量の３０％以下の出力であったことを確認する。そして、評価値付与部１４は、たとえば、発電装置２０３Ｃに評価値「６０」を付与する。
【００８６】
このように、評価値付与部１４は、過去の実績量が抑制可能量以下であった度数に基づく評価値を各発電装置２０３に付与する。なお、このような評価値を「抑制量評価値」とも称する。
【００８７】
そして、選択部１５は、たとえば、評価値付与部１４により付与された抑制量評価値の高い発電装置２０３Ｃ、発電装置２０３Ａ、発電装置２０３Ｂの順に、制御対象として優先的に選択する。
【００８８】
（ｂ）例２
選択部１５は、たとえば、抑制量評価値の高い発電装置２０３であって、過去に電力供給の抑制のための制御が行われた累積期間の短い発電装置２０３を制御対象として優先的に選択してもよい。
【００８９】
具体的には、「（ａ）例１」において説明したように、発電装置２０３Ａ、発電装置２０３Ｂおよび発電装置２０３Ｃの抑制量評価値が、それぞれ「５０」、「４０」および「６０」であるとする。
【００９０】
また、情報処理部１７は、たとえば、各発電制御装置２０２から、対応の発電装置２０３の制御が行われた年間の累積期間を示す累積期間情報を定期的に受信し、受信した累積期間情報を記憶装置１６１に保存する。情報処理部１７は、たとえば、新たな累積期間情報を受信すると、記憶装置１６１に保存されている累積期間情報を更新する。
【００９１】
なお、上述のとおり、送信部１６は、制御対象ごとの制御情報を発電制御装置２０２へ送信するとともに、当該制御情報を記憶装置１６１に保存してもよい。この場合、情報処理部１７は、各発電制御装置２０２から累積期間情報を受信する代わりに、たとえば、記憶装置１６１に保存されている制御対象ごとの制御情報に基づいて、各発電装置２０３の累積期間を示す累積期間情報を作成して記憶装置１６１に保存してもよい。
【００９２】
ここでは、記憶装置１６１に保存されている累積期間情報の示す発電装置２０３Ａ、発電装置２０３Ｂ、発電装置２０３Ｃの累積期間は、それぞれＴａ、ＴｂおよびＴｃであるとする。
【００９３】
この場合、評価値付与部１４は、たとえば、記憶装置１６１に保存されている累積期間情報を取得し、取得した累積期間情報の示す累積期間の長さに応じて異なる値の重みを決定する。たとえば、評価値付与部１４は、累積期間Ｔａ，Ｔｂ，Ｔｃに対応する重みとして、それぞれ、重みＷａ，Ｗｂ，Ｗｃを決定する。なお、重みは、累積期間が短いほど大きい値であるとする。
【００９４】
そして、評価値付与部１４は、たとえば、発電装置２０３Ａの抑制量評価値に重みを乗じた値「５０×Ｗａ」を、発電装置２０３Ａの評価値とする。また、選択部１５は、たとえば、発電装置２０３Ｂの抑制量評価値に重みを乗じた値「４０×Ｗｂ」を、発電装置２０３Ｂの評価値とする。また、選択部１５は、たとえば、発電装置２０３Ｃの抑制量評価値に重みを乗じた値「６０×Ｗｃ」を、発電装置２０３Ｃの評価値とする。
【００９５】
そして、選択部１５は、たとえば、評価値付与部１４により付与された評価値の高い発電装置２０３を、制御対象として優先的に選択する。
【００９６】
（ｃ）例３
選択部１５は、たとえば、１または複数の制御対象の抑制可能量の合計と目標量との差が小さくなるような発電装置２０３を制御対象として優先的に選択してもよい。
【００９７】
具体的には、電力管理装置１０１の管理対象として、発電装置２０３Ａ、発電装置２０３Ｂおよび発電装置２０３Ｃに加えて、さらに、発電装置２０３Ｄがあるとする。
【００９８】
また、発電装置２０３Ｄの定格量が１００００ｋＷであり、ある抑制期間における抑制可能量が４０００ｋＷであるとする。すなわち、当該抑制期間における発電装置２０３Ｄの抑制可能量は、定格量の４０％であるとする。
【００９９】
また、たとえば、記憶装置１６１に発電装置２０３Ｄの累積度数分布Ｄｄが保存されており、累積度数分布Ｄｄは、過去の発電の５５％が定格量の４０％以下の出力であったことを示しているとする。
【０１００】
この場合、評価値付与部１４は、たとえば、発電装置２０３Ｄに抑制量評価値「５５」を付与する。
【０１０１】
また、発電装置２０３Ａ、発電装置２０３Ｂおよび発電装置２０３Ｃの抑制可能量は、それぞれ５００ｋＷ、４００ｋＷおよび３００ｋＷであり、評価値付与部１４は、たとえば、「（ａ）例１」において説明したように、発電装置２０３Ａ、発電装置２０３Ｂおよび発電装置２０３Ｃに、それぞれ抑制量評価値「５０」、「４０」および「６０」を付与したとする。
【０１０２】
そして、選択部１５は、たとえば、まず、制御対象の候補である各発電装置２０３を、評価値付与部１４により付与された抑制量評価値の高い順、すなわち発電装置２０３Ｃ、発電装置２０３Ｄ、発電装置２０３Ａ、発電装置２０３Ｂの順にソートする。
【０１０３】
なお、選択部１５は、抑制量評価値の代わりに、「（ｂ）例２」において説明したように、累積期間の長さに応じて異なる重みづけをした評価値を各発電装置２０３に付与し、付与した評価値の高い順に制御対象の候補として発電装置２０３をソートしてもよい。
【０１０４】
そして、選択部１５は、たとえば、ソートした抑制評価値の高い発電装置２０３から順に抑制可能量と目標量とを比較して、制御対象として選択するか否かの判断を行う。
【０１０５】
具体的には、選択部１５は、まず、抑制量評価値が最も高い発電装置２０３Ｃの抑制可能量と目標量との差が所定値Ｘ１未満であるか否かを確認する。
【０１０６】
ここでは、電力管理情報の示す目標量は７００ｋＷであり、所定値Ｘ１は１０００ｋＷであるとする。
【０１０７】
この場合、選択部１５は、発電装置２０３Ｃの抑制可能量と目標量との差が１０００ｋＷ未満であるため、発電装置２０３Ｃを制御対象として選択する。
【０１０８】
次に、選択部１５は、たとえば、制御対象として選択した発電装置２０３Ｃの抑制可能量と、抑制評価値が２番目に高い発電装置２０３Ｄの抑制可能量との合計を算出し、算出した合計と目標量との差が所定値Ｘ１未満であるか否かを確認する。
【０１０９】
すなわち、選択部１５は、発電装置２０３Ｃの抑制可能量３００ｋＷと、発電装置２０３Ｄの抑制可能量４０００ｋＷとの合計は４３００ｋＷであり、目標量との差が所定値Ｘ１以上であることを確認する。この場合、選択部１５は、発電装置２０３Ｄを制御対象の候補から除外する。
【０１１０】
次に、選択部１５は、たとえば、制御対象として選択した発電装置２０３Ｃの抑制可能量と、抑制評価値が３番目に高い発電装置２０３Ａの抑制可能量との合計を算出し、算出した合計と目標量との差が所定値Ｘ１未満であるか否かを確認する。
【０１１１】
すなわち、選択部１５は、発電装置２０３Ｃの抑制可能量３００ｋＷと、発電装置２０３Ａの抑制可能量５００ｋＷとの合計は８００ｋＷであり、目標量との差が所定値Ｘ１未満であることを確認する。この場合、選択部１５は、発電装置２０３Ａを制御対象として選択する。
【０１１２】
そして、選択部１５は、制御対象として選択した発電装置２０３Ｃおよび発電装置２０３Ａの抑制可能量の合計が目標量７００ｋＷを超えるため、発電装置２０３Ｂについては制御対象として選択するか否かの判断を行わず、選択結果および電力管理情報を送信部１６へ出力する。
【０１１３】
なお、選択部１５は、上述のように、複数の発電装置２０３の抑制可能量の合計と目標量とを比較する代わりに、たとえば、各発電装置２０３の抑制可能量と目標量とを比較し、目標量と抑制可能量との差の小さい発電装置２０３を制御対象として優先的に選択してもよい。
【０１１４】
具体的には、選択部１５は、ソートした発電装置２０３の中に、目標量と抑制可能量との差が所定値Ｘ２以上である発電装置２０３が存在する場合、当該発電装置２０３を制御対象の候補から除外する。
【０１１５】
たとえば、目標量が７００ｋＷであり、所定値Ｘ２が５００ｋＷであるとする。この場合、選択部１５は、抑制可能量が１２００ｋＷ以上である発電装置２０３または抑制可能量が２００ｋＷ未満の発電装置２０３が存在するとき、当該発電装置２０３を制御対象の候補から除外する。
【０１１６】
ここでは、選択部１５は、抑制可能量が４０００ｋＷである発電装置２０３Ｄを制御対象の候補から除外し、残りの発電装置２０３Ａ，２０３Ｂ，２０３Ｃの中から、たとえば抑制量評価値の高い順に１または複数の制御対象を選択する。
【０１１７】
＜動作＞
次に、本発明の実施の形態に係る電力管理装置１０１の動作について説明する。
【０１１８】
電力管理システム３０１における各装置は、コンピュータを備え、当該コンピュータにおけるＣＰＵ等の演算処理部は、以下のフローチャートの各ステップの一部または全部を含むプログラムを図示しないメモリから読み出して実行する。これら複数の装置のプログラムは、それぞれ、外部からインストールすることができる。これら複数の装置のプログラムは、それぞれ、記録媒体に格納された状態で流通する。
【０１１９】
図６は、本発明の実施の形態に係る電力管理装置による動作手順を定めたフローチャートである。
【０１２０】
ここでは、発電装置２０３ごとの実績量情報、過去環境情報および累積度数分布が記憶装置１６１に保存されているとする。
【０１２１】
図６を参照して、まず、電力管理装置１０１は、系統側管理装置１５１から電力管理情報を受信する（ステップＳ１１）。
【０１２２】
次に、電力管理装置１０１は、取得した電力管理情報の示す抑制期間を確認し、発電装置２０３の設けられた各施設の当該抑制期間における環境を示す環境予報情報を、たとえばインターネット上のウェブサイトから取得する（ステップＳ１２）。
【０１２３】
次に、電力管理装置１０１は、取得した環境予報情報、記憶装置１６１に保存されている実績量情報、および記憶装置１６１に保存されている過去環境情報に基づいて、発電装置２０３ごとに、当該抑制期間における抑制可能量を予測する（ステップＳ１３）。
【０１２４】
次に、電力管理装置１０１は、予測した抑制可能量、および記憶装置１６１に保存されている累積度数分布に基づいて、過去の発電が抑制可能量以下の出力であった度数に関する評価値を、各発電装置２０３に付与する（ステップＳ１４）。
【０１２５】
次に、電力管理装置１０１は、付与した各発電装置２０３の評価値および電力管理情報の示す目標量に基づいて、制御対象とする発電装置２０３を選択する（ステップＳ１５）。
【０１２６】
次に、電力管理装置１０１は、選択した制御対象ごとに制御情報を作成し、作成した制御情報を、対応の発電制御装置２０２へ送信する（ステップＳ１６）。
【０１２７】
［変形例１］
電力管理装置１０１は、発電装置２０３の設けられた施設における電力消費量を考慮して、抑制可能量を予測する構成であってもよい。
【０１２８】
ここで、施設において発電された全電力を売買する全量売電の方式が採用されている場合、抑制期間における発電量の予測値がそのまま抑制可能量となる。
【０１２９】
これに対して、施設において発電された電力量から当該施設における電力消費量を差し引いた残りを売電する余剰売電の方式が採用されている場合、電力管理装置１０１は、たとえば、抑制期間における発電量および当該抑制期間における電力消費量を予測し、発電量の予測値から電力消費量の予測値を差し引いた値を抑制可能量として算出する。
【０１３０】
より詳細には、発電制御装置２０２は、発電装置２０３により発電された電力量および発電装置２０３の設けられた施設の環境に加えて、さらに、当該施設における電力消費量を計測する。そして、発電制御装置２０２は、たとえば、同一のタイミングで計測した電力量の計測結果、環境の計測結果および電力消費量の計測結果を対応づけて、電力管理装置１０１へ送信する。
【０１３１】
電力管理装置１０１は、系統側管理装置１５１から電力管理情報を受信すると、受信した当該電力管理情報の示す抑制期間を確認し、たとえば、発電装置２０３の設けられた施設の当該抑制期間における環境を示す環境予報情報を取得する。
【０１３２】
そして、電力管理装置１０１は、施設ごとの環境予報情報を取得すると、たとえば施設ごとに、当該環境予報情報の示す環境、および、記憶装置１６１に保存されている過去環境情報の示す環境を確認し、当該抑制期間における環境と一致または類似する過去の環境を検出する。
【０１３３】
そして、予測部１２は、たとえば、検出した過去の環境と対応づけられた実績量を、当該抑制期間における発電装置２０３の発電量の予測値として取得する。また、予測部１２は、たとえば、検出した過去の環境と対応づけられた電力消費量を、当該抑制期間における電力消費量の予測値として取得する。
【０１３４】
そして、予測部１２は、発電装置２０３ごとに、発電量の予測値から電力消費量の予測値を差し引いた値を、当該抑制期間における抑制可能量として算出する。
【０１３５】
［変形例２］
電力管理装置１０１は、複数の発電装置２０３を複数のグループに分け、グループごとの評価値を付与し、グループ単位で制御対象を選択する構成であってもよい。
【０１３６】
具体的には、電力管理装置１０１は、複数の発電装置２０３を、たとえば施設の存在するエリア別にグループＡ、グループＢおよびグループＣに分類する。そして、電力管理装置１０１は、たとえば、グループＡの含まれる各発電装置２０３の評価値の合計をグループＡの評価値とし、グループＢの含まれる各発電装置２０３の評価値の合計をグループＢの評価値とし、グループＣの含まれる各発電装置２０３の評価値の合計をグループＣの評価値とする。
【０１３７】
そして、電力管理装置１０１は、このようにして各グループの評価値を付与すると、たとえば、評価値の高いグループを制御対象のグループとして選択する。そして、電力管理装置１０１は、選択したグループに含まれる発電装置２０１の一部または全部を、制御対象として選択する。
【０１３８】
［変形例３］
電力管理装置１０１は、複数の発電装置２０３を複数のグループに分け、各グループから制御対象を選択する構成であってもよい。
【０１３９】
具体的には、電力管理装置１０１は、複数の発電装置２０３を、全量売電の方式が採用されている全量売電グループと、余剰売電の方式が採用されている余剰売電グループとに分類する。
【０１４０】
そして、電力管理装置１０１は、たとえば、電力管理情報の示す目標量の８割が全量売電グループの発電装置２０３により抑制され、当該目標量の２割が余剰売電グループの発電装置２０３により抑制されるように、各グループから評価値の高い発電装置２０３を制御対象として選択する。
【０１４１】
［変形例４］
電力管理装置１０１は、たとえば、電力管理情報の示す抑制期間を複数の期間に分割し、分割した期間ごとに制御対象を選択する構成であってもよい。
【０１４２】
具体的には、電力管理装置１０１は、２時間の抑制期間を３０分ごとの４つの期間に分割する。そして、電力管理装置１０１は、分割した期間ごとに、評価値の高い発電装置２０３を制御対象として優先的に選択する。
【０１４３】
なお、電力管理装置１０１は、「変形例１」、「変形例２」、「変形例３」および「変形例４」においてそれぞれ説明した制御対象の選択方法を組み合わせてもよい。たとえば、電力管理装置１０１は、複数の発電装置２０３を複数のグループに分け、さらに、抑制期間を複数の期間に分割し、分割した期間ごとに異なるグループから制御対象を選択してもよい。
【０１４４】
また、たとえば、電力管理装置１０１は、複数の発電装置２０３を、全量売電の方式が採用されている「グループ１」と、余剰売電の方式が採用されている「グループ２」とに分類し、さらに、各グループに含まれる複数の発電装置２０３を、施設の存在するエリア別にグループ分けしてもよい。
【０１４５】
具体的には、電力管理装置１０１は、「グループ１」に含まれる複数の発電装置２０３を、施設の存在するエリア別にグループ１Ａ、グループ１Ｂおよびグループ１Ｃに分類する。また、電力管理装置１０１は、「グループ２」に含まれる複数の発電装置２０３を、施設の存在するエリア別にグループ２Ａ、グループ２Ｂおよびグループ２Ｃに分類する。
【０１４６】
そして、電力管理装置１０１は、たとえば、「グループ１」および「グループ２」から、それぞれ、評価値の高いグループを制御対象のグループとして選択してもよい。
【０１４７】
具体的には、電力管理装置１０１は、「グループ１」に含まれる「グループ１Ａ」、ならびに「グループ２」に含まれる「グループ２Ｂ」および「グループ２Ｃ」を、制御対象のグループとして選択する。
【０１４８】
［変形例５］
系統側管理装置１５１は、電力管理装置１０１を経由せずに発電制御装置２０２と直接通信を行い、発電施設における電力供給を直接管理してもよい。この場合、系統側管理装置１５１は、たとえば、図２に示す電力管理装置１０１と同様の構成を含み、複数の発電装置２０３の中から制御対象を選択することができる。なお、この場合、系統側管理装置１５１は、図２に示す受信部１１の代わりに、たとえば、電力管理情報を作成する作成部（電力管理情報取得部）を含む。
【０１４９】
具体的には、系統側管理装置１５１は、上述した電力管理装置１０１と同様に、たとえば、発電装置２０３ごとの実績量情報、発電装置２０３の設けられた施設の過去環境情報、および抑制期間における施設の環境予報情報を取得する。
【０１５０】
そして、系統側管理装置１５１は、取得した実績量情報、過去環境情報および環境予報情報に基づいて、発電装置２０３ごとに抑制期間における抑制可能量を予測する。
【０１５１】
そして、系統側管理装置１５１は、予測した抑制可能量および実績量情報の示す過去の実績量に基づいて、たとえば、各発電装置２０３に抑制量評価値を付与する。
【０１５２】
そして、系統側管理装置１５１は、たとえば、抑制量評価値の高い発電装置２０３を制御対象として優先的に選択する。そして、系統側管理装置１５１は、選択した制御対象ごとに制御情報を作成し、作成した制御情報を、各制御対象に対応の発電制御装置２０２へ送信する。
【０１５３】
なお、系統側管理装置１５１は、「変形例１」、「変形例２」、「変形例３」および「変形例４」においてそれぞれ説明した制御対象の選択方法を用いて、制御対象を選択してもよい。
【０１５４】
ところで、同一の発電事業者に対して電力供給の抑制指令を行うことのできる回数または期間には上限が設けられていることが多く、たとえば、年間３０日以内または３６０時間以内と定められている。このため、効果的な結果が得られる抑制指令を行い、限られた抑制指令の機会を有効活用することが望ましい。しかしながら、実際の出力量は天候などにより変動するため、効果的な結果を得ることのできる指令先を選択することは容易ではない。
【０１５５】
これに対して、本発明の実施の形態に係る電力管理装置１０１では、受信部１１は、電力供給の抑制を行う抑制期間を示す電力管理情報を受信する。また、情報処理部１７は、発電装置２０３の過去の発電の実績量を示す実績量情報および発電装置２０３の設けられた施設の過去の環境に関する過去環境情報を取得する。また、情報取得部１３は、受信部１１により受信された電力管理情報の示す抑制期間における施設の環境に関する環境予報情報を取得する。また、予測部１２は、情報処理部１７により取得された実績量情報および過去環境情報、ならびに、情報取得部１３により取得された環境予報情報に基づいて、発電装置２０３ごとに、当該抑制期間において抑制可能な電力量である抑制可能量を予測する。また、選択部１５は、情報処理部１７により取得された実績量情報の示す実績量および予測部１２により予測された抑制可能量に基づく、発電装置２０３ごとの、抑制可能量以下であった実績または予測可能量以上であった実績に基づいて、複数の発電装置２０３の中から電力供給の抑制のための制御対象を選択する。
【０１５６】
このような構成により、今回の抑制期間において抑制を行う方が、今後の抑制期間において抑制を行うよりも効果的な結果が得られる可能性の高い発電装置２０３を制御対象として選択することができる。このため、電力供給の抑制のための制御対象を適切に選択することができる。
【０１５７】
また、本発明の実施の形態に係る電力管理装置１０１では、情報処理部１７は、さらに、施設における過去の電力消費量を示す消費量情報を取得する。また、予測部１２は、発電装置２０３ごとに、情報処理部１７により取得された実績量情報、過去環境情報および消費量情報に基づいて、抑制期間における発電量および抑制期間における電力消費量を予測し、発電量の予測値と電力消費量の予測値との差を、発電装置２０３の抑制可能量として算出する。
【０１５８】
このような構成により、たとえば、施設において消費した電力の残りを売電する余剰売電の方式を採用している施設がある場合でも、当該施設に設けられた発電装置２０３の抑制可能量を正確に予測することができる。
【０１５９】
また、本発明の実施の形態に係る電力管理装置１０１では、情報処理部１７は、さらに、発電装置２０３ごとに、電力供給の抑制のための制御が行われた累積期間を示す累積期間情報を取得する。また、選択部１５は、情報処理部１７により取得された累積期間情報の示す累積期間の短い発電装置２０３を制御対象として優先的に選択する。
【０１６０】
このような構成により、同一の施設に電力供給の抑制の指令が集中してしまうことを防ぐことができる。
【０１６１】
また、本発明の実施の形態に係る電力管理装置１０１では、受信部１１により受信される電力管理情報には、電力供給の抑制の目標量が含まれる。また、選択部１５は、１または複数の制御対象の抑制可能量の合計と、電力管理情報の示す前記目標量との差が小さくなるような発電装置を制御対象として優先的に選択する。
【０１６２】
このような構成により、目標量に対する抑制可能量の過不足の小さい発電装置２０３を制御対象として選択することができるため、効率的な抑制を行うことができる。
【０１６３】
また、本発明の実施の形態に係る電力管理装置１０１では、選択部１５は、複数の発電装置２０３を複数のグループに分け、グループごとに実績に基づく評価値を付与し、付与した評価値の高いグループを制御対象のグループとして選択する。
【０１６４】
このような構成により、施設の存在するエリアなどの共通点を有する複数の発電装置２０３を制御対象として選択することができる。
【０１６５】
また、本発明の実施の形態に係る電力管理装置１０１では、選択部１５は、複数の発電装置２０３を複数のグループに分け、各グループから制御対象を選択する。
【０１６６】
このような構成により、たとえば、施設において発電された全電力を売電する全量売電を採用しているグループ、および余剰売電を採用しているグループの各々から制御対象を選択して、異なる売電方式を採用している施設に指令を分散させることができる。
【０１６７】
また、本発明の実施の形態に係る電力管理装置１０１では、選択部１５は、抑制期間を複数の期間に分割し、分割した期間ごとに制御対象を選択する。
【０１６８】
ここで、抑制期間が長期間である場合、当該抑制期間において施設の環境が大きく変化することがあるが、上記のような構成により、分割された期間ごとに適切な制御対象を選択することができる。
【０１６９】
なお、本発明の実施の形態に係る管理装置の機能の一部または全部が、クラウドコンピューティングによって提供されてもよい。すなわち、本発明の実施の形態に係る管理装置が、複数のクラウドサーバ等によって構成されてもよい。
【０１７０】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１７１】
以上の説明は、以下に付記する特徴を含む。
【０１７２】
［付記１］
複数の発電装置による電力供給を管理する管理装置であって、
前記電力供給の抑制を行う抑制期間を示す電力管理情報を取得する電力管理情報取得部と、
前記発電装置の過去の発電の実績量を示す実績量情報、前記発電装置の設けられた施設の過去の環境に関する過去環境情報、および、前記電力管理情報取得部により取得された前記電力管理情報の示す前記抑制期間における前記施設の環境に関する環境予報情報を取得する取得部と、
前記取得部により取得された前記実績量情報、前記過去環境情報および前記環境予報情報に基づいて、前記発電装置ごとに、前記抑制期間において抑制可能な電力量である抑制可能量を予測する予測部と、
前記取得部により取得された前記実績量情報の示す前記実績量および前記予測部により予測された前記抑制可能量に基づく、前記発電装置ごとの前記抑制可能量以下であった実績または前記予測可能量以上であった実績に基づいて、複数の前記発電装置の中から前記抑制のための制御対象を選択する選択部とを備え、
前記管理装置は、配信事業者によって運用される電力管理装置または一般電気事業者によって運用される系統側管理装置であり、
前記管理装置は、さらに、
前記実績量および前記抑制可能量に基づいて、前記発電装置ごとに、過去の発電が前記抑制可能量以下の出力であった度数に基づく評価値を付与する評価値付与部を備え、
前記選択部は、前記評価値付与部により付与された各前記発電装置の前記評価値の高い発電装置を前記制御対象として優先的に選択する、管理装置。
【符号の説明】
【０１７３】
１１  受信部（電力管理情報取得部）
１２  予測部
１３  情報取得部
１４  評価値付与部
１５  選択部
１６  送信部
１７  情報処理部（取得部）
１０１  電力管理装置
１５１  系統側管理装置
１６１  記憶装置
２０２，２０２Ａ，２０２Ｂ，２０２Ｃ  発電制御装置
２０２，２０２Ａ，２０２Ｂ，２０２Ｃ，２０２Ｄ  発電装置
３０１  電力管理システム
【図１】
2018055419.tif 000003
【図２】
2018055419.tif 000004
【図３】
2018055419.tif 000005
【図４】
2018055419.tif 000006
【図５】
2018055419.tif 000007
【図６】
2018055419.tif 000008